(57)【要約】  本発明の水粒子発生装置は、周囲の空気中の水をその上に凝縮させる凝縮棒（１）と、凝縮棒（１）と接触して凝縮棒（１）の温度を下げて凝縮棒（１）を冷却させる冷却器（２）と、横方向に配置され且つ凝縮棒（１）の両側にそれぞれ位置し、互いに協働する第１の電極（３１）と第２の電極（３２）を含む放電電極セット（３）と、放電電極セット（３）に高電圧を印加する高圧電源と、を含み、放電電極セット（３）は、凝縮棒（１）に高電圧コロナを印加して、凝縮棒（１）に付着された凝縮水が高電圧コロナにより励起されて霧化水粒子を形成するようにする。当該水粒子発生装置は、霧化効果が優れ、放電部品の装着が安定する。【選択図】図１
2019535509.tif 000002
【特許請求の範囲】
【請求項１】
周囲の空気中の水をその上に凝縮させる凝縮棒と、
前記凝縮棒と接触して前記凝縮棒の温度を下げて前記凝縮棒を冷却させる冷却器と、
横方向に配置され且つ凝縮棒の両側にそれぞれ位置し、互いに協働する第１の電極と第２の電極を含む放電電極セットと、
前記放電電極セットに高電圧を印加して、高電圧コロナを前記第１の電極と前記第２の電極との間に発生させる高圧電源と、を含み、
前記放電電極セットは、前記凝縮棒に高電圧コロナを印加して、凝縮棒に付着された凝縮水が高電圧コロナにより励起されて霧化水粒子を形成するようにする
ことを特徴とする水粒子発生装置。
【請求項２】
前記第１の電極と第２の電極は、連結ロック片と放電先端をそれぞれ含み、
前記連結ロック片と前記放電先端は、絶縁ブラケットによって冷却器と完全に隔離される
ことを特徴とする請求項１に記載の水粒子発生装置。
【請求項３】
前記放電先端は、テーパ状の先端を有する放電ピンであり、
前記絶縁ブラケットには、連結ロック片が挿着される挿入溝が設けられ、前記挿入溝は、冷却器と絶縁隔離され、
前記放電ピンの一端は、挿入溝に進入して、前記連結ロック片と電気的に接続され、
前記放電ピンの他端は、絶縁ブラケットの表面から張り出して、放電ピンのテーパ状の先端を凝縮棒に作用させる
ことを特徴とする請求項２に記載の水粒子発生装置。
【請求項４】
前記挿入溝に進入する前記放電ピンの一端には、係合溝が設けられ、
前記連結ロック片の端部には、放電ピンの係合溝と互いに係合される係合口が設けられ、
前記係合口は、三角形の切り欠きに形成され、
前記連結ロック片の端部は、切り欠きの最大箇所である
ことを特徴とする請求項３に記載の水粒子発生装置。
【請求項５】
前記連結ロック片の係合口には、放電ピンの係合溝と係合してその位置を規制する位置規制口が設けられる
ことを特徴とする請求項４に記載の水粒子発生装置。
【請求項６】
前記放電先端は、テーパ状の先端を有する放電ピンであり、
前記連結ロック片は、絶縁ブラケットの冷却器から離れる一側に装着され、
前記連結ロック片の末端は、放電ピンを被覆し、放電ピンのテーパ状の先端を凝縮棒に作用させる
ことを特徴とする請求項２に記載の水粒子発生装置。
【請求項７】
前記放電先端は、尖り角を有する放電シートであり、
前記放電シートは、連結ロック片と一体成形され、前記放電シートの尖り角を凝縮棒に作用させる
ことを特徴とする請求項２に記載の水粒子発生装置。
【請求項８】
前記凝縮棒は、凝縮水を凝集させる凝結表面を有し、
前記凝結表面と第１の電極及び第２の電極との間には、水平な放電ギャップをそれぞれ備え、前記放電ギャップは、０.３〜５ｍｍである
ことを特徴とする請求項１に記載の水粒子発生装置。
【請求項９】
絶縁ブラケットがさらに設けられ、
前記放電電極セットと前記冷却器は、絶縁ブラケットの上下両側にそれぞれ装着され、
前記絶縁ブラケットには、凝縮棒装着孔が設けられ、
前記凝縮棒は、絶縁ブラケットの冷却器が装着される一側から放電電極セットが装着される一側に張り出す
ことを特徴とする請求項１乃至８のいずれか一項に記載の水粒子発生装置。
【請求項１０】
前記絶縁ブラケットには、凝縮棒を周回する集水ボスが設けられ、
前記集水ボスは、凝縮棒の底部を周回する集水溝を形成し、且つ前記集水ボスは、凝縮棒と放電電極セットとの間に位置する
ことを特徴とする請求項９に記載の水粒子発生装置。
【発明の詳細な説明】
【技術分野】
【０００１】
本出願は、出願番号がＣＮ２０１７１０４２６３６８．８であって、出願日が２０１７年５月３１日である中国特許出願に基づいて提出し、優先権を主張し、前記の中国特許出願のすべての内容を本出願に援用する。
【０００２】
本発明は、霧化装置に係り、特に水粒子発生装置に関する。
【背景技術】
【０００３】
業界の従来の高電圧コロナ霧化水粒子発生装置は、その冷却装置がエミッタ電極を冷却して周囲の空気中の水をエミッタ電極に凝縮させ、高圧電源から前記エミッタ電極に高電圧を印加すると、エミッタ電極に凝縮された水が高電圧コロナによって霧化される。エミッタ電極は、放電および凝縮効果を負担し、エミッタ電極は、凝縮水を凝集すると同時に、放電を行い、これにより、エミッタ電極の構造に対する要求が非常に高くなり、成形の不良率と加工コストが比較的高くなる。また、エミッタ電極と対向する対向電極は、エミッタ電極の頂部に位置するので、霧化された後の水粒子の運動を遮断・阻害する不利な効果を有する。したがって、業界では、前記の問題を解決する方法をずっと鋭意検討している。
【発明の概要】
【発明が解決しようとする課題】
【０００４】
上記の従来の技術に存在する問題を解決するために、本発明は、霧化効果が優れる水粒子発生装置を提供する。
【課題を解決するための手段】
【０００５】
上記の技術問題を解決するために、本発明は、以下の技術案を採用する。
【０００６】
本発明の水粒子発生装置は、
周囲の空気中の水をその上に凝縮させる凝縮棒と、
前記凝縮棒と接触して前記凝縮棒の温度を下げて前記凝縮棒を冷却させる冷却器と、
横方向に配置され且つ凝縮棒の両側にそれぞれ位置し、互いに協働する第１の電極と第２の電極を含む放電電極セットと、
前記放電電極セットに高電圧を印加して、高電圧コロナを前記第１の電極と前記第２の電極との間に発生させる高圧電源と、を含み、
前記放電電極セットは、前記凝縮棒に高電圧コロナを印加して、凝縮棒に付着された凝縮水が高電圧コロナにより励起されて霧化水粒子を形成するようにする。
【０００７】
本発明の放電電極セットは、互いに協働されている第１の電極と第２の電極を含み、前記第１の電極と第２の電極は、凝縮棒の両側にそれぞれ位置し、前記放電電極セットの第１の電極と第２の電極は、凝縮棒を取り囲み、凝縮棒を放電電極セットが高電圧を受けることにより発生される高電圧コロナに位置させ、高電圧コロナと凝縮棒の位置は、合わせてずれ難くなる。
【０００８】
また、第１の電極と第２の電極は、横方向に配置され、これにより、放電方向が横方向になり、凝縮水が容易に飛散しない、凝縮棒に凝縮された凝縮水の霧化効果は、より優れる。
【０００９】
前記の技術方案は、以下のような技術手段で、さらに完備されることができる。
【００１０】
前記第１の電極と第２の電極は、連結ロック片と放電先端をそれぞれ含み、前記連結ロック片と前記放電先端は、絶縁ブラケットによって冷却器と完全に隔離される。本発明において、前記第１の電極及び第２の電極は、絶縁ブラケットによって冷却器と絶縁隔離されることで、第１の電極と第２の電極に受けられる高電圧により冷却器を損なうことによる冷却器が破壊されまたは高圧磁場障害にあるなどのことを防止する。
【００１１】
前記放電先端は、テーパ状の先端を有する放電ピンであり、前記絶縁ブラケットには、連結ロック片が挿着される挿入溝が設けられ、前記挿入溝は、冷却器と絶縁隔離され、前記放電ピンの一端は、挿入溝に進入して、前記連結ロック片と電気的に接続され、前記放電ピンの他端は、絶縁ブラケットの表面から張り出して、放電ピンのテーパ状の先端を凝縮棒に作用させる。本発明では、内蔵式の連結ロック片を設計すると共に、放電ピンの一端を絶縁ブラケットに予め埋めることで、連結ロック片と放電ピンとの装着をさらに安定させるだけでなく、放電ピンと連結ロック片との電気的接続の信頼性がさらに高くなるようにし、また、予め埋める設計は、放電ピンと凝縮棒との相対的な放電位置が安定することを保障する。
【００１２】
前記挿入溝に進入する前記放電ピンの一端には、係合溝が設けられ、前記連結ロック片の端部には、放電ピンの係合溝と互いに係合される係合口が設けられ、前記係合口は、三角形の切り欠きに形成され、前記連結ロック片の端部は、切り欠きの最大箇所である。本発明の連結ロック片と放電ピンは、係合の方式を採用し、装着が便利であり、連結ロック片の端部の係合口は、装着の弾性変形が大きく、電ピンを容易に損なわないように設計される。
【００１３】
前記連結ロック片の係合口には、放電ピンの係合溝と係合してその位置を規制する位置規制口が設けられる。係合口には、位置規制口が設けられ、放電ピンの係合溝を係合口に係合させた後、当該係合溝を位置規制口に位置させて位置規制されることにより、両者の接続の安定性を保障する。
【００１４】
前記放電先端は、テーパ状の先端を有する放電ピンであり、前記連結ロック片は、絶縁ブラケットの冷却器から離れる一側に装着され、前記連結ロック片の末端は、放電ピンを被覆し、放電ピンのテーパ状の先端を凝縮棒に作用させる。本発明の連結ロック片は、放電ピンを包むので、両者の接触面積が最大になるようにすることができ、電気的接続の効果を保障し、両者の接続部分でアーキングスパークを発生することを防止する。
【００１５】
前記放電先端は、尖り角を有する放電シートであり、前記放電シートは、連結ロック片と一体成形され、前記放電シートの尖り角を凝縮棒に作用させる。放電先端は、シート構造に設計され、且つ連結ロック片と一体成形されることにより、放電電極セットの成形難易度を低減し、２つの放電先端との間の対向面積をより大きくして、凝縮棒を放電電極セットが高電圧を受けることにより発生される高電圧コロナに位置させることを確保し、高電圧コロナと凝縮水の位置は、合わせてずれ難くなり、これにより、凝縮棒１に凝縮した凝縮水の霧化効果は、より優れる。
【００１６】
前記凝縮棒は、凝縮水を凝集させる凝結表面を有し、前記凝結表面と第１の電極及び第２の電極との間には、水平な放電ギャップをそれぞれ備え、前記放電ギャップは、０.３〜５ｍｍである。本発明の放電ギャップは、凝縮水をより良く励起して霧化水粒子を形成し、これにより、凝縮の霧化効果を向上させることができる。
【００１７】
前記水粒子発生装置には、絶縁ブラケットがさらに設けられ、前記放電電極セットと前記冷却器は、絶縁ブラケットの上下両側にそれぞれ装着され、前記絶縁ブラケットには、凝縮棒装着孔が設けられ、前記凝縮棒は、絶縁ブラケットの冷却器が装着される一側から放電電極セットが装着される一側に張り出す。前記絶縁ブラケットは、放電電極セットと冷却器を離間させる。凝縮棒は、凝縮棒装着孔を介して冷却器側から放電電極セット側に張り出し、これにより、凝縮棒の一端は、冷却器に直接接触することができ、他端は、放電電極セットの高電圧コロナに位置し、放電電極セットと冷却器は、絶縁隔離され、冷却器を損なうことを防止する。
【００１８】
前記絶縁ブラケットには、凝縮棒を周回する集水ボスが設けられ、前記集水ボスは、凝縮棒の底部を周回する集水溝を形成し、且つ前記集水ボスは、凝縮棒と放電電極セットとの間に位置する。本発明の絶縁ブラケットには、集水ボスが設けられ、凝縮棒に凝結された水が持続的に増加して凝縮棒に沿って下へ流す場合、集水ボスが凝縮棒の底部を周回して形成される集水溝は、凝縮水を受けることができる。したがって、凝縮水が放電電極セットに溢れ出ることにより凝縮棒が帯電しまたは放電電極セットの２つの電極が導通されることを防止し、放電、ショートなどの安全上の危険を防止する。さらに、集水溝は、凝縮棒を包む安定した水量を保証することができ、乾燥な凝縮棒１に対して放電することによって凝縮棒の使用寿命に影響を与えることを防止できる。
【００１９】
従来技術に比べて、上記の技術方案を適用した後、本発明は、以下の利点を有する。
【００２０】
本発明の水粒子発生装置の放電電極セットは、凝縮水が飛散しにくい、霧化効果が優れ、放電部品の装着が安定し、電気的な接続が信頼性を有する利点がある。絶縁ブラケットは、放電電極セットと冷却器を離間させる。集水ボスは、凝縮棒を周回し、且つ凝縮棒と放電電極セットとの間に位置し、各部品との間の絶縁は、安全し、霧化効果は、信頼性がある。
【図面の簡単な説明】
【００２１】
【図１】本発明の第１の実施形態に係る水粒子発生装置の模式図である。
【図２】本発明の第１の実施形態に係る水粒子発生装置の平面図である。
【図３】本発明の第１の実施形態に係る水粒子発生装置の分解図である。
【図４】本発明の第１の実施形態に係る水粒子発生装置の断面図である。
【図５】本発明の第１の実施形態に係る凝縮棒の模式図である。
【図６】本発明の第１の実施形態に係る放電電極セットの分解図である。
【図７】本発明の第１の実施形態に係る絶縁ブラケットの模式図である。
【図８】本発明の第２の実施形態に係る水粒子発生装置の模式図である。
【図９】本発明の第２の実施形態に係る凝縮棒の模式図である。
【図１０】本発明の第３の実施形態に係る水粒子発生装置の模式図である。
【図１１】本発明の第４の実施形態に係る凝縮棒の模式図である。
【発明を実施するための形態】
【００２２】
以下、図面と結合して、本発明について詳細に説明する。
＜第１の実施形態：＞
本実施形態は、水粒子発生装置を提供し、図１〜図７に示すように、水粒子発生装置は、周囲の空気中の水をその上に凝縮させる凝縮棒１と、前記凝縮棒１と接触して前記凝縮棒１の温度を下げて前記凝縮棒１を冷却させる冷却器２と、横方向に配置され且つ凝縮棒１の両側にそれぞれ位置し、互いに協働する第１の電極３１と第２の電極３２を含む放電電極セット３と、前記放電電極セット３に高電圧を印加して、高電圧コロナを前記第１の電極３１と前記第２の電極３２との間に発生させる高圧電源と、を含み、ここで、前記放電電極セット３は、前記凝縮棒１に高電圧コロナを印加して、凝縮棒１に付着された凝縮水が高電圧コロナにより励起されて霧化水粒子を形成するようにする。本発明の放電電極セット３は、互いに協働する第１の電極３１と第２の電極３２を含み、前記第１の電極３１と第２の電極３２は、横方向に配置され、これにより、放電方向が横方向になり、凝縮水が容易に飛散しない。また、前記第１の電極３１と第２の電極３２は、凝縮棒１の両側にそれぞれ位置し、これにより、凝縮棒１を放電電極セット３が高電圧を受けることにより発生される高電圧コロナに位置させることを確保し、高電圧コロナと凝縮棒１の位置は、合わせてずれ難くなる。
【００２３】
前記第１の電極３１と第２の電極３２は、連結ロック片３３と放電先端３４をそれぞれ含み、前記連結ロック片３３と放電先端３４は、絶縁ブラケット４ によって冷却器と完全に隔離される。本発明において、前記第１の電極３１及び第２の電極３２は、絶縁ブラケット４によって冷却器と絶縁隔離されることで、第１の電極３１と第２の電極３２に受けられる高電圧により冷却器２を損なうことによる冷却器が破壊されまたは高圧磁場障害にあるなどのことを防止する。
【００２４】
本実施形態において、前記放電先端３４は、テーパ状の先端を有する放電ピンであり、前記絶縁ブラケット４には、連結ロック片３３が挿着される挿入溝４１が設けられ、前記挿入溝４１は、冷却器２と絶縁隔離され、前記放電ピンの一端は、挿入溝４１に進入して、前記連結ロック片３３と電気的に接続される。前記放電ピンの他端は、絶縁ブラケット４の表面から張り出して、放電ピンのテーパ状の先端を凝縮棒１に作用させる。本発明では、内蔵式の連結ロック片３３を設計すると共に、放電ピンの一端を絶縁ブラケット４に予め埋めることで、連結ロック片３３と放電ピンとの装着をさらに安定させるだけでなく、放電ピンと連結ロック片３３との電気的接続の信頼性がさらに高くなるようにし、また、予め埋める設計は、放電ピンと凝縮棒１との相対的な放電位置が安定することを保障する。本発明において、前記絶縁ブラケット４には、２つの連結ロック片３３を隔離させる絶縁仕切板４５がさらに設けられ、絶縁仕切板４５は、第１の電極３１と第２の電極３２を効果的に離間させて、２つの電極との間の絶縁安全性を保障する。
【００２５】
前記挿入溝４１に進入する前記放電ピンの一端には、係合溝３４１が設けられ、前記連結ロック片３３の端部には、放電ピンの係合溝３４１と互いに係合される係合口３３１が設けられる。前記係合口３３１は、三角形の切り欠きに形成され、前記連結ロック片３３の端部は、切り欠きの最大箇所である。本発明の連結ロック片３３と放電ピンは、係合の方式を採用し、装着が便利であり、連結ロック片３３の端部の係合口３３１は、装着の弾性変形が大きく、電ピンを容易に損なわないように設計される。前記連結ロック片３３の係合口３３１には、放電ピンの係合溝３４１と係合してその位置を規制する位置規制口３３２が設けられる。前記位置規制口３３２は、三角形の切り欠きの中間部に位置する。本実施形態において、前記連結ロック片３３の端部は、円形であり、前記位置規制口３３２は、円形の円心部に位置する。係合口３３１には、位置規制口３３２が設けられ、放電ピンの係合溝３４１を係合口３３１に係合させた後、当該係合溝３４１を位置規制口３３２に位置させて位置規制されることにより、両者の接続の安定性を保障する。
【００２６】
前記凝縮棒１は、凝縮水を凝集させる凝結表面１１を有し、前記凝結表面１１と第１の電極３１及び第２の電極３２との間には、水平な放電ギャップ（Ｌ）をそれぞれ備え、前記放電ギャップ（Ｌ）は、０.３〜５ｍｍである。本実施形態において、好ましくは、放電ギャップ（Ｌ）が２ｍｍである。本発明の放電ギャップ（Ｌ）は、凝縮水をより良く励起して霧化水粒子を形成し、これにより、凝縮の霧化効果を向上させることができる。本発明における凝縮棒１は、中軸線の周りに回転対称な柱体であり、前記柱体の円周表面は、凝縮水を凝集させる凝結表面１１であり、これにより、凝縮水を凝縮棒である柱体の凝結表面に凝縮させることができ、凝縮水の利用可能な凝結面積をより大きくなる。凝縮棒１が柱体であり、その円周表面には、傾斜したテーパ状の斜面がないため、空気中の水は、円柱体の凝結表面に均一に分布することができ、凝縮水は、一定の体積に凝集した場合、スムーズに下へ流れることができ、凝縮棒１を包む水量が大きすぎることによる霧化効果の低下を防止することができる。本発明の前記凝縮棒１の先端は、凝結表面１１から外側に広がる集水ヘッド１２を備え、前記集水ヘッド１２の外縁直径は、前記凝結表面の円周直径よりも大きい。本発明において、凝縮棒１の先端には、集水ヘッド１２が設置され、その外縁直径は、前記凝結表面の円周直径よりも大きい、前記凝結表面に凝縮水を発生した場合、集水ヘッド１２の遮蔽によって、凝縮水が気流により凝結表面から離脱することを効果的に防止することができる。前記集水ヘッド１２の上面は、平坦面である。本発明において、凝縮棒１がこの頂部で放電することを防止するために、特別に平坦面の集水ヘッド１２を設置し、これにより、凝縮棒１に付着された帯電したイオンが凝縮棒の先端に運動することを防止することができる。前記放電ギャップ（Ｌ）は、集水ヘッド１２の外円周と放電ピンのテーパ状の先端との間のギャップである。
【００２７】
前記水粒子発生装置には、絶縁ブラケット４がさらに設けられる。前記放電電極セット３と冷却器２は、絶縁ブラケット４の上下両側にそれぞれ装着される。前記絶縁ブラケット４には、凝縮棒装着孔４２が設けられる。前記凝縮棒１は、絶縁ブラケット４の冷却器２が装着される一側から放電電極セット３が装着される一側に張り出す。前記絶縁ブラケット４は、放電電極セット３と冷却器２を離間させる。凝縮棒１は、凝縮棒装着孔４２を介して冷却器２側から放電電極セット３側に張り出し、これにより、凝縮棒１の一端は、冷却器２に直接接触することができ、他端は、放電電極セット３の高電圧コロナに位置し、放電電極セット３と冷却器２は、絶縁隔離され、冷却器２を損なうことを防止する。前記冷却器２には、放熱モジュール２１がさらに設けられ、前記放熱モジュール２１は、冷却器２と一体に設置され、前記放熱モジュール２１は、前記凝縮棒１から離れる側に設置される。冷却器２の冷却効果を高めるために、前記冷却器２の凝縮棒１から離れた一側には、放熱モジュール２１が組み立てられる。前記水粒子発生装置には、放熱フィン２２がさらに設けられ、前記放熱フィン２２は、前記放熱モジュール２１と接触し、且つ前記凝縮棒１から離れた方向に延在する。放熱フィン２２は、冷却器２の凝縮棒１から離れた一側への放熱を速めることにより、凝縮棒１が付着された一側の冷却効果を保障することができる。
【００２８】
前記絶縁ブラケット４には、凝縮棒１を周回する集水ボス４３が設けられ、前記集水ボス４３は、凝縮棒１の底部を周回する集水溝４４を形成し、且つ前記集水ボス４３は、凝縮棒１と放電電極セット３との間に位置する。本発明の絶縁ブラケット４には、集水ボス４３が設けられ、凝縮棒１に凝結された水が持続的に増加して凝縮棒１に沿って下へ流す場合、集水ボス４３が凝縮棒１の底部を周回して形成される集水溝４４は、凝縮水を受けることができる。したがって、凝縮水が放電電極セット３に溢れ出ることにより凝縮棒１が帯電しまたは放電電極セット３の２つの電極が導通されることを防止し、アーキングの発生、ショートなどの安全上の危険を防止する。さらに、集水溝４４は、凝縮棒１を包む安定した水量を保証することができ、乾燥な凝縮棒１に対して放電して凝縮棒１の使用寿命に影響を与えることを防止できる。凝縮棒１を包む水量の安定性をさらに保障するために、本発明において、上から下まで円周外径が徐々に増大する緩流段差部１３がさらに設けられる。均一に凝縮する効果を保障するために、本発明では、円柱体の凝縮棒を設計し、これにより、凝縮水は、一定の体積に凝集された場合、スムーズに下へ流れることができ、凝縮水が下へ流した後、凝縮棒１上の凝縮水が突然減少する。一定量の凝縮水が凝縮棒１に付着されることを保障するために、本発明では、徐々に増大する緩流段差部１３を特別に設計し、緩流段差部１３に常に水が保存されて、放電霧化に使用され、これにより、凝縮棒１の材料の安全性と使用寿命を保障する。本実施形態において、前記凝結表面１１には、集水溝１４がさらに設けられ、前記集水溝は、凝結表面を周回して凹む環状の集水溝である。凝縮棒上の霧化媒体の付着を保障するために、本発明では、特に集水溝１４を設置し、凝結表面を周回して凹む環状の集水溝は、集水溝１４内の凝縮水の量を均一に保障することができ、放電霧化効果が優れる。
【００２９】
本発明の水粒子発生装置の放電電極セット３は、凝縮水が飛散しにくい、霧化効果が優れ、放電部品の装着が安定し、電気的な接続が信頼性を有する利点がある。絶縁ブラケット４は、放電電極セット３と冷却器２を離間させる。集水ボス４３は、凝縮棒１を周回し、且つ凝縮棒１と放電電極セット３との間に位置し、各部品との間の絶縁は、安全し、霧化効果は、信頼性がある。
【００３０】
＜第２の実施形態：＞
本実施形態と第１の実施形態の区別点は、以下の通りであり、図８および図９に示すように、前記放電先端３４は、テーパ状の先端を有する放電ピンであり、前記連結ロック片３３は、絶縁ブラケットの冷却器２から離れる一側に装着され、前記連結ロック片３３の末端は、放電ピンを被覆し、放電ピンのテーパ状の先端を凝縮棒１に作用させる。本発明の連結ロック片３３は、放電ピンを包むので、両者の接触面積が最大になるようにすることができ、電気的接続の効果を保障し、両者の接続部分でアーキングスパークを発生することを防止する。
【００３１】
本実施形態において、前記凝結表面１１に集水溝が設けられなくてもよい、凝縮棒の凝結表面１１に上から下まで円周外径が徐々に増大する緩流段差部１３がさらに設けられることにより、一定量の凝縮水が凝縮棒１に付着されることを保障することができる。
【００３２】
＜第３の実施形態：＞
本実施形態と第１の実施形態の区別点は、以下の通りであり、図１０に示す水粒子発生装置において、前記放電先端３４は、尖り角を有する放電シートであり、前記放電シートは、連結ロック片３３と一体成形され、放電シートの尖り角を凝縮棒１に作用させる。放電先端３４は、シート構造に設計され、且つ連結ロック片３３と一体成形されることにより、放電電極セットの成形難易度を低減し、２つの放電先端との間の対向面積をより大きくして、凝縮棒１を放電電極セットが高電圧を受けることにより発生される高電圧コロナに位置させることを確保し、高電圧コロナと凝縮水の位置は、合わせてずれ難くなり、これにより、凝縮棒１に凝縮した凝縮水の霧化効果は、より優れる。本実施形態において、前記放電シートと凝結表面１１との間の放電ギャップ（Ｌ）は、５ｍｍを選択してもよい。
【００３３】
＜第４の実施形態：＞
本実施形態と第１の実施形態の区別点は、以下の通りであり、図１１に示す凝縮棒において、前記集水ヘッド１２と前記凝結表面１１は、内側に凹む円弧を介して移行して接続される。凝縮棒１に付着された帯電したイオンが尖り角の接続箇所に運動して放電現象が発生することを防止するために、前記集水ヘッド１２と前記凝結表面１１は、特に円弧移行の方法を採用し、接続尖り角が発生することを防止する。装置が気流中にある場合、凝縮水は、凝結表面１１から集水ヘッド１２に向かって運動する可能性があり、凝縮水が集水ヘッド１２の上方に流動することを防止するために、特別に前記集水ヘッド１２と前記凝結表面１１を内側に凹む円弧移行構造に設計し、内側に凹む円弧移行構造は、凝縮水の運動方向を縦方向から横方向に変化するように案内し、これにより、凝縮水は、集水ヘッド１２の周囲に排出される。
【００３４】
本実施形態において、前記凝結表面１１には、集水溝１４が設けられ、前記集水溝１４は、凝縮棒１の軸心方向に沿って設置されている縦方向の集水溝であり、前記縦方向の集水溝は、凝結表面の円周に沿って配置されている。円周に沿って配置された縦方向の集水溝１４は、より多くの環境に適用されることができ、集水溝は、互いに干渉しない、最低の凝縮水量を保障することができる。
【００３５】
上記の実施形態は、単に本発明の好適な実施形態だけであり、本発明のすべての実施例ではない、当業者は、本発明の原理に基づいて、様々な変形を行うことができ、このような変形は、本発明の技術思想を逸脱しない限り、いずれも本発明の特許請求の範囲で定義された範囲に含まれるべきである。
【図面の符号の説明】
【００３６】
１：凝縮棒、１１：凝結表面、１２：集水ヘッド、１３：緩流段差部、１４：集水溝、２：冷却器、２１：放熱モジュール、２２：放熱フィン、３：放電電極セット、３１：第１の電極、３２：第２の電極、３３：連結ロック片、３３１：係合口、３３２：位置規制口、３４：放電先端、３４１：係合溝、４：絶縁ブラケット、４１：挿入溝、４２：凝縮棒装着孔、４３：集水ボス、４４：集水溝、４５：絶縁仕切板
【図１】
2019535509.tif 000003
【図２】
2019535509.tif 000004
【図３】
2019535509.tif 000005
【図４】
2019535509.tif 000006
【図５】
2019535509.tif 000007
【図６】
2019535509.tif 000008
【図７】
2019535509.tif 000009
【図８】
2019535509.tif 000010
【図９】
2019535509.tif 000011
【図１０】
2019535509.tif 000012
【図１１】
2019535509.tif 000013
【国際調査報告】
2019535509.tif 000014
2019535509.tif 000015
2019535509.tif 000016
2019535509.tif 000017